(57)【要約】【課題】頑固な油汚れを除去するために洗浄のたびに洗剤を加える必要がないレンジフードを提供することを目的とする。【解決手段】電動機１３により回転する羽根車１０を洗浄水に浸漬させるための洗浄ケーシング５０と、洗浄水５１を供給する給水トレイ５２と、洗浄ケーシングに洗浄水５１を供給する給水ポンプ５３とを設け、羽根車１０へ洗浄水５１を噴射して羽根車１０を洗浄するレンジフードにおいて、給水ポンプは、上流側に備えた給水管６１を上方から給水トレイ５２内へ配置できるものであって、給水管６１に洗剤６０を配置し、かつ給水トレイ５２を装着したときに給水トレイ５２の上部内側に洗剤６０が位置するようにすることで、洗剤６０と、洗浄水５１とが接することで、洗浄水５１に洗剤６０を溶かしこむことでき、頑固な油汚れを容易に洗浄できる。【選択図】図１
2017155947.tif 000002
【特許請求の範囲】
【請求項１】
電動機により回転する羽根車と、前記羽根車を洗浄水に浸漬させるための洗浄ケーシングと、前記洗浄水を供給する給水トレイと、前記洗浄ケーシングに前記洗浄水を供給する給水ポンプとを設け、前記羽根車へ洗浄水を噴射して前記羽根車を洗浄するレンジフードにおいて、前記給水ポンプは、上流側に備えた給水管を上方から前記給水トレイ内へ配置できるものであって、前記給水管に洗剤を配置し、かつ前記給水トレイを装着したときに前記給水トレイの上部内側に前記洗剤が位置することを特徴としたレンジフード。
【請求項２】
前記給水トレイは、洗剤を溶出させる側とさせない側と仕切る仕切り板を備え、前記洗浄水に、洗剤の濃度差を持たせることが可能な請求項１記載のレンジフード。
【請求項３】
前記仕切り板は、下部に開口を有し、前記開口の面積は、前記給水管の断面積より小さい構成であり、前記給水ポンプにより洗剤を溶出させる側の洗浄水を給水することで、洗剤を溶出させない側の洗浄水が溶出する側に移動することができ、かつ洗剤を溶出させる側に洗浄水の給水速度が、洗剤を溶出させない側の洗浄水の移動速度より速いことを特徴とする請求項２記載のレンジフード。
【請求項４】
前記給水トレイは、底面から前記洗剤下端までの体積が、満水時の洗剤を溶出させない側の体積より大きい請求項２記載のレンジフード。
【発明の詳細な説明】
【技術分野】
【０００１】
本発明は、レンジフード内部に設置する油捕集機構の汚れ除去に関するものである。
【背景技術】
【０００２】
従来、この種のレンジフードは、図７に示すように、調理器具から発生する油煙や周囲に浮遊する埃等を捕集する吸込口１０１を設けたフード１０２を調理器具（図示せず）の上方の壁面１０３に設置し、フード１０２には、天面には屋外とダクト１０４を介して連通する排出口１０５を設け、内部には回転軸１０６を略水平にして配置した電動機１０７と、回転軸１０６に取り付けた羽根車１０８と、羽根車１０８を包括した洗浄ケーシング１０９を配設し、この羽根車１０８を介し吸込口１０１と排出口１０５を結ぶ通風路１１０を形成している。また、フード１０２の吸込口１０１近傍には平板状の整流板１１１が配設されている。
【０００３】
洗浄ケーシング１０９の下方には、洗浄液１１２を貯水する給水トレイ１１３と給水ポンプ１１４を設け、洗浄ケーシング１０９には、給水ポンプ１１４から接続された散水ノズル１１５を設けている。洗浄ケーシング１０９の下端部には孔１１６を設けて、孔１１６には洗浄ケーシング１０９内に洗浄液１１２を貯排する開閉弁１１７を設け、開閉弁１１７の下方に排水トレイ１１８を構成している。
【０００４】
図８に示すように、遠心ファンの羽根車１０８は、主板１１９に立設した複数のブレード１２０を備え、羽根車１０８内部には、リング状の油捕集機構部１２１を、ブレード１２０から１５〔ｍｍ〕程度の距離を離して、回転軸１０６方向に間隔を空けて複数枚取り付けている。
【０００５】
以下、そのレンジフードについて図９を参照しながら説明する。
【０００６】
洗浄時には、羽根車１０８の回転軸１０６より下方の部分が、洗浄ケーシング１０９内で給水トレイ１１３から供給された洗浄液１１２に浸漬される。羽根車１０８および油捕集機構部１２１には、レンジフードの使用に伴い汚れが付着している。羽根車１０８を回転軸１０６で回転させることで、汚れが付着した部分を洗浄液１１２に浸漬させて洗浄することができる（例えば、特許文献１を参照）。
【０００７】
また、頑固な油汚れを除去する場合には、給水トレイに洗剤を投入することで、油汚れを浮かして洗浄することができる（例えば、特許文献２を参照）。
【先行技術文献】
【特許文献】
【０００８】
【特許文献１】特開２０１４−０６２７１０号公報
【特許文献２】実用新案登録第３１７６８７８号公報
【発明の概要】
【発明が解決しようとする課題】
【０００９】
このようなレンジフードにおいては、給水トレイに洗剤を投入することは、洗浄のたびに行なう必要があるという課題を有していた。
【００１０】
そこで本発明は、上記の課題を解決するものであり、頑固な油汚れを除去するために洗浄のたびに洗剤を加える必要がないレンジフードを提供することを目的とする。
【課題を解決するための手段】
【００１１】
そして、この目的を達成するために、本発明は、電動機により回転する羽根車を洗浄水に浸漬させるための洗浄ケーシングと、前記洗浄ケーシングに、前記洗浄水を貯排する開閉弁とを設け、前記開閉弁を閉じて洗浄水を貯め、前記羽根車へ洗浄水を噴射して前記羽根車を洗浄するレンジフードにおいて、前記給水ポンプは、上流側に備えた給水管を上方から前記給水トレイ内へ配置できるものであって、前記給水管に洗剤を配置し、かつ前記給水トレイを装着したときに前記給水トレイ内の洗浄水が前記洗剤に接触する位置に配置するものであり、これにより所期の目的を達成するものである。
【発明の効果】
【００１２】
本発明によれば、電動機により回転する羽根車を洗浄水に浸漬させるための洗浄ケーシングと、前記洗浄ケーシングに、前記洗浄水を貯排する開閉弁とを設け、前記開閉弁を閉じて洗浄水を貯め、前記羽根車へ洗浄水を噴射して前記羽根車を洗浄するレンジフードにおいて、前記給水ポンプ上流側の給水管に洗剤を有し、前記給水トレイが満水のときのみ前記洗剤と、前記洗浄水とが接することで、洗浄水に洗剤を溶かしこむことでき、頑固な油汚れを容易に洗浄できる。
【図面の簡単な説明】
【００１３】
【図１】本発明の実施の形態１のレンジフードを示す断面構成図
【図２】同レンジフードの羽根車の種類図
【図３】同レンジフードの羽根車の構成正面断面図
【図４】同レンジフードの羽根車の構成斜方図
【図５】同レンジフードのケーシング構成図
【図６】同レンジフードの給水トレイ断面成図
【図７】従来のレンジフードを示す側面断面構成図
【図８】同レンジフードの羽根車と油捕集機構部の構成を示す図
【図９】同レンジフードを示す正面断面構成図
【発明を実施するための形態】
【００１４】
本発明の請求項１記載のレンジフードは、電動機により回転する羽根車を洗浄水に浸漬させるための洗浄ケーシングと、前記洗浄ケーシングに、前記洗浄水を貯排する開閉弁とを設け、前記開閉弁を閉じて洗浄水を貯め、前記羽根車へ洗浄水を噴射して前記羽根車を洗浄するレンジフードにおいて、前記給水ポンプは、上流側に備えた給水管を上方から前記給水トレイ内へ配置できるものであって、前記給水管に洗剤を配置し、かつ前記給水トレイを装着したときに前記給水トレイ内の洗浄水が前記洗剤に接触する位置に配置するものである。
【００１５】
これにより、油汚れが付着した前記羽根車を洗浄する際、前記給水トレイを満水にすると、前記洗浄水に前記洗剤が溶けることができ、油を浮かせやすくする効果がある。
【００１６】
また、請求項２に係わるレンジフードは、前記給水トレイは、洗剤を溶出させる側とさせない側と仕切る仕切り板を備えたものである。
【００１７】
これにより、洗剤を溶出させない側では、洗剤の濃度が低い前記洗浄水を保つことができるため、前記洗浄水を、洗浄用と、すすぎ用とにわけるという効果を奏する。
【００１８】
また、請求項３に係わるレンジフードは、前記仕切り板は、下部に開口を有し、前記開口の面積は、前記給水管の断面積より小さいものである。
【００１９】
これにより、ポンプによる給水速度が、洗剤を溶出させない側の洗浄水が仕切り板の反対側に移動する速度よりはやくなるようにすることができるので、洗浄開始時には洗剤を溶出させる側の洗浄水を優先的に使用し、洗浄後に前記洗剤が溶けていない洗浄水を優先的に使用するという効果を奏する。
【００２０】
また、請求項４に係わるレンジフードは、前記給水トレイは、底面から前記洗剤下端までの体積が、満水時の洗剤を溶出させない側の体積より大きいものである。
【００２１】
これにより、前記洗剤が溶けていない洗浄水が仕切り板の反対側に移動した場合でも、前記洗剤と前記洗剤が溶けていない洗浄水とが、接することなく、洗剤が溶けることを防ぐという効果を奏する。
【００２２】
以下、本発明の実施の形態について図面を参照しながら説明する。
【００２３】
（実施の形態１）
図１に示すように、本実施の形態１では、レンジフード１は、本体２を壁面３に設置し、排出口４にダクト５を接続して屋外と連通している。
【００２４】
本体２は、調理器具（図示せず）の上方で調理器具から発生する油煙や周囲に浮遊する埃等を捕集できるようにフード部６を備えた箱体であって、フード部６の下面７に吸込口８、天面９に前記排出口４を備えている。
【００２５】
本体２の内部には、羽根車１０を備えた送風機１１と羽根車１０を洗浄する洗浄装置１２を備えている。図２に示すように、羽根車１０には、シロッコファン、ターボファン、プレートファンのように、いくつかの種類があり、本発明はこのいずれにも適用可能であるが、ここではシロッコファン（遠心ファン）を用いる。すなわち、羽根車１０は、かご型円筒形状を有している。
【００２６】
送風機１１は、前記羽根車１０に加えて、この羽根車１０を回転させる電動機１３と羽根車１０を包囲するケーシング１４を備えている。
【００２７】
図３および図４に示すように、羽根車１０は、少なくとも、複数のブレード１５と環状の側板１６と円形の主板１７で構成されている。ブレード１５は、送風機１１の送風機流入口１８側に位置する前記側板１６と電動機１３側に位置する主板１７によって両端部を挟み込むようにして配置している。
【００２８】
前記ブレード１５は、複数を主板１７上の外周部で円環状に配置している。すなわちブレード１５は同一円周上に配置されている。そしてブレード１５は、羽根車１０の外周から内周へ向けた直線状の流路が所定の角度範囲でブレード１５に干渉しないように、隙間を開けて配置している。つまり、1つのブレードである第一ブレード１９は、隣に配置した第二ブレード２０に対して、回転方向に所定の間隔を開けて配置している。
【００２９】
また、主板１７は外周に対して中心部を軸方向に、かつ、側板１６側に隆起した円錐面２９を備えている。言い換えると羽根車１０は、円の外周方向から中心軸である回転軸２１に向うにしたがって、隆起するように傾斜した円錐面２９を持つものでもある。
【００３０】
ブレード１５は、複数を主板１７上の外周部で円環状に配置している。すなわち、ブレード１５は、主板１７から垂直方向に立設し、同一円周上に配置している。
【００３１】
また、ブレード１５の内周部には、羽根車１０の内周を周回するリング状の油捕集機構部２８を、回転軸２１方向に互いに一定距離を離して、複数枚取り付けている。
【００３２】
なお、油捕集機構部２８は、必須ではない。代わりに送風機１１の上流側に油煙を捕集するフィルタを備えても良い。
【００３３】
図５に示すケーシング１４には、前記送風機流入口１８と送風機吹出口３１が備えられている。
【００３４】
ケーシング１４は、スクロール板３２と、このスクロール板３２を挟むように配置したケーシング前面板３３とケーシング背面板３４と、舌部３５と、スクロール板３２の延長上に備えた延設板３６と、舌部３５の延長上に備えた延長板３７とを備えている。なお、ケーシング１４において、延設板３６と、延長板３７は必須ではない。
【００３５】
ケーシング前面板３３とケーシング背面板３４は、羽根車１０の高さ方向に対応して間隔を開けて配置した平面板である。
【００３６】
スクロール板３２は、羽根車１０の外周で、舌部３５を基点として羽根車１０の回転方向に向って風路を拡大する曲面板である。延設板３６はスクロール板３２をさらに送風機吹出口３１へ延設した平面板である。また、延長板３７は、舌部３５の反回転方向側から送風機吹出口３１へ延設した平面板である。
【００３７】
また、スクロール板３２は、ケーシング１４の側面部３８の主要部に渡り配置されている。ケーシング１４の側面において、舌部３５から羽根車１０の回転方向に約３００度の範囲を占めている。
【００３８】
送風機吹出口３１は、ケーシング１４の側面部３８において、ケーシング前面板３３とケーシング背面板３４と延設板３６、延長板３７のそれぞれ端部に囲まれて形成している。また、延設板３６、延長板３７を備えない場合には、ケーシング前面板３３とケーシング背面板３４、スクロール板３２、舌部３５のそれぞれ端部に囲まれて形成すればよい。
【００３９】
ケーシング１４は、ケーシング前面板３３の略中央部にオリフィス３９を備えている。送風機流入口１８は、オリフィス３９の内周部にある。また、図１においてケーシング背面板３４側に電動機１３を配置している。そして、電動機１３からシャフト４０を通じ羽根車１０を回転させている。
【００４０】
ケーシング１４は、本体２内部で、ケーシング前面板３３とケーシング背面板３４を立てるように配置している。すなわち、羽根車１０は、回転軸２１を横にして配置し、送風機吹出口３１を上方へ向けて配置している。
【００４１】
そして、送風機吹出口３１は、本体２の排出口４へ接続されている。送風機流入口１８は、本体２内部に開口し、吸込口８に連通している。
【００４２】
電動機１３の内部には、回転数センサー（図示せず）と電流センサー（図示せず）がついており、電動機の回転数と電流値を検知する。回転数センサーとしては、ホールＩＣが好ましく、コストが安く精度がいいからである。
【００４３】
洗浄装置１２は、送風機１１のケーシング１４でもある洗浄ケーシング５０と、洗浄水５１を貯水する給水トレイ５２と、給水ポンプ５３と、散水ノズル５４と排水トレイ５５を備えている。
【００４４】
給水ポンプ５３は、給水トレイ５２に貯水した洗浄水５１を散水ノズル５４へ送水するものであって、本体２内部に設けている。そして、図６に示すように、給水ポンプ５３上流に、給水管６１を備え、給水管６１の先端が、給水トレイ５２の内部に入るように配置し、給水管６１には、洗剤６０を備えている。すなわち、洗浄水５１を給水トレイ５２の上限まで入れた状態（満水の状態）で給水トレイ５２を装着すると、洗剤６０が洗浄水５１に接触することができる。すなわち、給水管６１に洗剤６０を配置し、かつ給水トレイ５２を装着したときに給水トレイ５２内の洗浄水５１が洗剤６０に接触する位置に配置するものである。この場合、洗剤６０の取り付け位置は、給水トレイ５２の内側上部で、給水トレイ５２の満水位置（前記上限）に対して半分より上が望ましい。また、洗剤６０は、羽根車の1回の洗浄で使い切るものではなく、少なくとも数回、好ましくは数十回から百回程度の洗浄で使い切る程度の量を備えたものである。
【００４５】
図６示す給水トレイ５２は、着脱可能であり、洗浄時には洗浄ケーシング５０の下方に位置し、給水トレイ５２は、運搬時に洗浄水５１がこぼれないように蓋６２を設けている。蓋６２は、給水管６１が入る開口を設け、そのほかの給水トレイ５２全体を覆うものである。また、給水トレイ５２の内部には、給水トレイ５２下端との間に開口５８ができるように、仕切り板５９を備えている。すなわち、仕切り板５９を備えることで、給水トレイ５２内には、給水管６１を挿入した側と、挿入していない側（反対側）が形成される。
【００４６】
開口５８は、給水管６１の断面積より小さく、給水ポンプ５３が洗浄水５１を送水する速度よりも、洗浄水５１が開口５８を通り移動するが遅くなるように設置している。
【００４７】
蓋６２は、洗剤６０が溶出しない側を密封し、ポンプ等で洗剤が溶出しない側に空気を送り込むことで、洗剤６０が溶出しない側から洗剤が溶出する側へと洗浄水５１が移動する構成にしてもよい。
【００４８】
また、図示していないが、開口５８にメッシュなどの圧損体を設けて移動速度を調整してもよい。
【００４９】
また、給水トレイ５２は、底面から洗剤６０下端までの体積が、満水時の洗剤を溶出させない側の体積より大きいものである。
【００５０】
散水ノズル５４は、位置に指定はないが、噴出口がブレード１５および主板１７に向く位置に配置すると、水圧により油が剥がれやすくなるため望ましい。本実施の形態では、散水ノズル５４を一箇所に配置した例を示しているが、必要に応じて複数個所に配置しても良い。
【００５１】
給水トレイ５２または給水管６１にはヒーターを設置してもよく、洗浄水５１を暖めることで洗剤６０の溶け込みを加速させることができる。
【００５２】
洗剤６０の形状は固形、粉、液体などが良いが、特に固形であると洗浄水５１に溶かす量を制御しやすいため好ましい。洗剤６０の成分に特に指定はないが、例えば脂肪酸のアルカリ塩と無機塩を組み合わせたものが使用できる。脂肪酸のアルカリ塩としては、ラウリン酸やミリスチン酸、パルミチン酸、ステアリン酸、オレイン酸などのナトリウム塩やカリウム塩が好適である。無機塩としては炭酸塩やゼオライト、ケイ酸塩が用いられる。無機塩の代わりにキレート剤を用いてもよく、エチドロン酸塩やエデト酸塩がしようできる。また、脂肪酸塩の腐敗やカビの繁殖を防ぐために保存料を添加してもよく、ジブチルヒドロキシトルエンなどが好適である。
【００５３】
洗浄ケーシング５０は、ブレード１５と油捕集機構部２８の洗浄の際に洗浄水５１を貯めることができる機体であって、少なくとも羽根車１０の外側から主板１７に対向するケーシング背面板３４と、下端部に孔５６を設けて、孔５６には洗浄ケーシング５０内に洗浄水５１を貯排する開閉弁５７を設け、開閉弁５７の下方に排水トレイ５５を配置している。
【００５４】
上記構成により、ブレード１５と油捕集機構部２８の洗浄の際は、給水トレイ５２に洗浄水５１を入れることで、洗剤６０が洗浄水５１に接触し、洗剤６０の成分が一部溶け出すことができ、仕切り板５９により給水管６１がある側の洗剤成分の濃度が高くなる。洗浄水５１は給水ポンプ５３によりくみ上げられ、給水管６１を通り散水ノズル５４からブレード１５と油捕集機構部２８に供給される。洗浄水５１がくみ上げられる速度は、洗浄水５１が開口５８を通り移動する速度より速く、最初に洗浄ケーシング５０に洗浄水５１を供給するときには、洗剤６０が溶出する側の洗浄水５１を優先的に使用することができる。
【００５５】
洗浄に十分な洗浄水５１が洗浄ケーシング５０に貯まり、給水ポンプ５３を停止させると、洗浄ケーシング５０では、洗剤６０が溶出した洗浄水５１で羽根車１０の洗浄を行なうこととなる。一方、給水トレイ５２内では、次の洗浄に向けて、洗浄水５１が開口５８を通り移動して液面の高さを同一にするために、洗剤６０が溶出していない側から開口５８を通り洗剤が溶出する側へと移動する。この時、給水トレイ５２は、底面から洗剤６０下端までの体積が、満水時の洗剤を溶出させない側の体積より大きくしているので、洗剤６０が溶出しない側の洗浄水５１が仕切り板５９の開口５８を通って移動する量を制限しなくても洗剤６０が洗浄水５１に接触することはない。
【００５６】
ブレード１５と油捕集機構部２８の洗浄が完了すると、開閉弁５７が開き、洗浄ケーシング５０下方の排水トレイ５５に洗浄に使用した洗浄水５１を排出し、開閉弁５７が閉じる。給水ポンプ５３は再び動き、洗剤６０が溶出していない洗浄水５１を散水ノズル５４から洗浄ケーシング５０に供給することが可能となり、ブレード１５と油捕集機構部２８をすすぐことができる。
【００５７】
なお、本実施の形態は、給水ポンプ５３、上流側に備えた給水管６１上方から給水トレイ５２へ配置できるものであって、給水管６１に洗剤６０を配置し、かつ給水トレイ５２を装着したときに給水トレイ５２内の洗浄水５１が洗剤６０に接触する位置に配置するものである。このようにすることで、給水トレイ５２に洗浄水５１を入れて、レンジフード１に給水トレイ５２接置すると、給水管６１に配置した洗剤６０が洗浄水５１に接触し、洗剤６０の成分一部が溶け出すことができ、一度にすべてを溶出させてしまうこともないので、少なくとも数回、好ましくは数十回から百回程度の洗浄で使い切るようにすることができる。特に、洗剤６０の取り付け位置を給水トレイ５２内側上部であって、給水トレイ５２の満水位置（前記上限）に対して半分より上にすることで、一度にすべてを溶出させてしまうことを容易に防止することができる。つまり、洗浄のたびに洗剤を加える必要がないレンジフードを提供することが可能となる。
【産業上の利用可能性】
【００５８】
本発明にかかるレンジフードは頑固な油汚れを除去するために洗浄のたびに洗剤を加える必要がないようにすることができるものであり、同様の機能が付いた換気装置にも適用することができる。
【符号の説明】
【００５９】
１    レンジフード
２    本体
３    壁面
４    排出口
５    ダクト
６    フード部
７    下面
８    吸込口
９    天面
１０    羽根車
１１    送風機
１２    洗浄装置
１３    電動機
１４    ケーシング
１５    ブレード
１６    側板
１７    主板
１８    送風機流入口
２１    回転軸
２９    円錐面
２８    油捕集機構部
３１    送風機吹出口
３２    スクロール板
３３    ケーシング前面板
３４    ケーシング背面板
３５    舌部
３６    延設板
３７    延長板
３８    側面部
３９    オリフィス
４０    シャフト
５０    洗浄ケーシング
５１    洗浄水
５２    給水トレイ
５３    給水ポンプ
５４    散水ノズル
５５    排水トレイ
５６    孔
５７    開閉弁
５８    開口
５９    仕切り板
６０    洗剤
６１    給水管
６２    蓋
１０１    吸込口
１０２    フード
１０３    壁面
１０４    ダクト
１０５    排出口
１０６    回転軸
１０７    電動機
１０８    羽根車
１０９    洗浄ケーシング
１１０    通風路
１１１    整流板
１１２    洗浄液
１１３    給水トレイ
１１４    給水ポンプ
１１５    散水ノズル
１１６    孔
１１７    開閉弁
１１８    排水トレイ
１１９    主板
１２０    ブレード
１２１    油捕集機構部
【図１】
2017155947.tif 000003
【図２】
2017155947.tif 000004
【図３】
2017155947.tif 000005
【図４】
2017155947.tif 000006
【図５】
2017155947.tif 000007
【図６】
2017155947.tif 000008
【図７】
2017155947.tif 000009
【図８】
2017155947.tif 000010
【図９】
2017155947.tif 000011